(57)【要約】【課題】携帯電話からの操作を簡素化した入会システム等を提供する。【解決手段】ユーザは、店舗に掲示されたポスター等に印刷された２次元バーコードを読み取り、空メールをホストサーバ１１に送る。ホストサーバ１１は、携帯電話３に初期発行用URLをメールで送ると、ユーザは携帯電話３から初期発行用URLにアクセスする。ホストサーバ１１は、携帯電話３のメールアドレスに関連付けた擬似会員番号を発行し、携帯電話３に送る。ユーザが申込書８に記入したユーザ情報と、リーダライタ９が携帯電話３から読み取ってプリンタ１０から印刷出力した擬似会員番号をホストサーバ１１に送る。ホストサーバ１１は、申込書８のユーザ情報と印刷出力された擬似会員番号と、初期発行時に対応付けた擬似会員番号のマッチング処理を行い、ユーザを登録する。【選択図】図１
2008140098.tif 000002
【特許請求の範囲】
【請求項１】
携帯電話と、リーダライタと、ネットワークを介して携帯電話に接続されたサーバからなる入会システムであって、
前記サーバは、
前記携帯電話からのメールに応答して、初期化ＵＲＬを前記携帯電話にメールで通知する手段と、
前記携帯電話が前記初期化ＵＲＬにアクセスすると、前記携帯電話に、前記メールアドレスと関連付けた擬似識別番号を付与する手段と、
前記携帯電話に、アプリケーションを送る手段と、
前記携帯電話に前記擬似識別番号をメールで通知する手段と、
を有し、
前記リーダライタは、
前記携帯電話に付与された前記擬似識別番号を読み出す手段と、
読み出した前記擬似識別番号を印刷する手段と、
を有し、
前記サーバは、
ユーザ情報を記憶する手段と、
前記ユーザ情報と、前記擬似識別番号を関連付け、記憶する手段と、
を有することを特徴とする入会システム。
【請求項２】
前記サーバは、既存のユーザ情報を更に具備し、前記既存のユーザ情報と、前記ユーザ情報とを関連付け、記憶する手段を有することを特徴とする請求項１記載の入会システム。
【請求項３】
ネットワークを介して携帯電話に接続されたサーバであって、
前記携帯電話からのメールに応答して、初期化ＵＲＬを前記携帯電話にメールで通知する手段と、
前記携帯電話が前記初期化ＵＲＬにアクセスすると、前記携帯電話に、前記メールアドレスと関連付けた擬似識別番号を付与する手段と、
前記携帯電話に、アプリケーションを送る手段と、
前記携帯電話に前記擬似識別番号をメールで通知する手段と、
リーダライタにより前記携帯電話から読み出した擬似識別番号を含むユーザ情報を記憶する手段と、
前記ユーザ情報と、前記擬似識別番号を関連付け、記憶する手段と、
を有することを特徴とするサーバ。
【請求項４】
前記サーバは、既存のユーザ情報を更に具備し、前記既存のユーザ情報と、前記ユーザ情報とを関連付け、記憶する手段を有することを特徴とする請求項３記載のサーバ。
【請求項５】
携帯電話と、リーダライタと、ネットワークを介して携帯電話に接続されたサーバからなる入会方法であって、
前記サーバは、
前記携帯電話からのメールに応答して、初期化ＵＲＬを前記携帯電話にメールで通知する工程と、
前記携帯電話が前記初期化ＵＲＬにアクセスすると、前記携帯電話に、前記メールアドレスと関連付けた擬似識別番号を付与する工程と、
前記携帯電話に、アプリケーションを送る工程と、
前記携帯電話に前記擬似識別番号をメールで通知する工程と、
を有し、
前記リーダライタは、
前記携帯電話に付与された前記擬似識別番号を読み出す工程と、
読み出した前記擬似識別番号を印刷する工程と、
を有し、
前記サーバは、
ユーザ情報を記憶する工程と、
前記ユーザ情報と、前記擬似識別番号を関連付け、記憶する工程と、
を有することを特徴とする入会方法。
【請求項６】
コンピュータを請求項３記載のサーバとして機能させることを特徴とするプログラム。
【発明の詳細な説明】
【技術分野】
【０００１】
本発明は、携帯端末からの入力を簡素化した入会システム等に関する。
【背景技術】
【０００２】
ユーザが購入した商品・サービスの代金に応じて、金銭的価値のあるポイントを付与するポイントサービスが知られている。代表的なポイントサービスの例として、ユーザが店舗に来店した際に、ユーザに紙媒体等にユーザ情報を記入してもらうことによりポイント会員の登録を行い、ポイントカードを発行するものがある。このようなポイントサービスでは、ユーザの商品・サービスの代金に応じて所定割合のポイントを付与し、ポイントをポイントカード番号と関連づけて管理サーバに記憶することでポイント管理を行う。ユーザは、次回来店時に貯まったポイントを次の商品・サービスの代金の支払いの一部又は全部に使用することができる。
【０００３】
近年、電子マネー、各種会員証、ポイントカード、鉄道やバス・旅客機の乗車券・航空券、クレジットカード等の機能を持たせた携帯電話が普及している。このような携帯電話のＩＣアプリは、利便性が向上するとともに、複数の電子マネー、クレジットカード、ポイントカード等を携帯電話から登録することにより、携帯電話にまとめることができるため、携帯性に優れている。（特許文献１参照）
【０００４】
【特許文献１】特開２００６−２０９６９６
【発明の開示】
【発明が解決しようとする課題】
【０００５】
しかしながら、上記の方法では、従来のような紙媒体へユーザ情報を記入するという作業と比べて、携帯電話からのポイントカード、クレジットカード等の入会の手続きでは、多数の情報が記載されているダウンロード画面から必要なＩＣアプリを選択してロードし、携帯端末のキーボタンを用いてユーザの氏名、住所、電話番号等の情報を入力するなど登録作業が複雑で、入会時の障害となっている。また、登録作業においてユーザ情報等を入力する際に設定間違いや入力間違いも多く、正しく登録ができないという障害も多く発生している。
【０００６】
本発明は、このような問題に鑑みてなされたもので、その目的とするところは、携帯電話からの操作を簡素化した入会システム等に関する。
【課題を解決するための手段】
【０００７】
前述した目的を達成するために第１の発明は、携帯電話と、リーダライタと、ネットワークを介して携帯電話に接続されたサーバからなる入会システムであって、前記サーバは、前記携帯電話からのメールに応答して、初期化ＵＲＬを前記携帯電話にメールで通知する手段と、前記携帯電話が前記初期化ＵＲＬにアクセスすると、前記携帯電話に、前記メールアドレスと関連付けた擬似識別番号を付与する手段と、前記携帯電話に、アプリケーションを送る手段と、前記携帯電話に前記擬似識別番号をメールで通知する手段と、を有し、前記リーダライタは、前記携帯電話に付与された前記擬似識別番号を読み出す手段と、読み出した前記擬似識別番号を印刷する手段と、を有し、前記サーバは、ユーザ情報を記憶する手段と、前記ユーザ情報と、前記擬似識別番号を関連付け、記憶する手段と、を有することを特徴とする入会システムである。
【０００８】
前記サーバは、ポイントカード、クレジットカード等の既存のユーザ情報を更に具備し、前記既存のユーザ情報と、前記ユーザ情報とを関連付け、記憶する手段を有する。
【０００９】
第２の発明は、ネットワークを介して携帯電話に接続されたサーバであって、前記携帯電話からのメールに応答して、初期化ＵＲＬを前記携帯電話にメールで通知する手段と、前記携帯電話が前記初期化ＵＲＬにアクセスすると、前記携帯電話に、前記メールアドレスと関連付けた擬似識別番号を付与する手段と、前記携帯電話に、アプリケーションを送る手段と、前記携帯電話に前記擬似識別番号をメールで通知する手段と、リーダライタにより前記携帯電話から読み出した擬似識別番号を含むユーザ情報を記憶する手段と、前記ユーザ情報と、前記擬似識別番号を関連付け、記憶する手段と、を有することを特徴とするサーバである。
【００１０】
第３の発明は、携帯電話と、リーダライタと、ネットワークを介して携帯電話に接続されたサーバからなる入会方法であって、前記サーバは、前記携帯電話からのメールに応答して、初期化ＵＲＬを前記携帯電話にメールで通知する工程と、前記携帯電話が前記初期化ＵＲＬにアクセスすると、前記携帯電話に、前記メールアドレスと関連付けた擬似識別番号を付与する工程と、前記携帯電話に、アプリケーションを送る工程と、前記携帯電話に前記擬似識別番号をメールで通知する工程と、を有し、前記リーダライタは、前記携帯電話に付与された前記擬似識別番号を読み出す工程と、読み出した前記擬似識別番号を印刷する工程と、を有し、前記サーバは、ユーザ情報を記憶する工程と、前記ユーザ情報と、前記擬似識別番号を関連付け、記憶する工程と、を有することを特徴とする入会方法である。
【００１１】
第４の発明は、コンピュータを第２の発明のサーバとして機能させることを特徴とするプログラムである。
【発明の効果】
【００１２】
本発明によれば、携帯電話からの操作を簡素化した入会システム等を提供することができる。
【発明を実施するための最良の形態】
【００１３】
以下、添付図面を参照しながら、本発明に係る入会システムの好適な実施形態について詳細に説明する。
【００１４】
最初に、図１を参照しながら、本実施の形態に係る入会システム１について説明する。
図１は、入会システム１の概要を示す図である。
【００１５】
入会システム１は、ＩＣチップ５を搭載した携帯電話３と、ポイントカード、ポイント機能付きクレジットカードを管理するホストサーバ１１が、インターネット等のネットワーク１７を介して接続している。ホストサーバ１１は、ユーザデータベース１３とコンテンツデータベース１５を有する。
ポイントカード、ポイント機能付きクレジットカード等を発行、運用する店舗６には、パーソナルコンピュータのような端末７と、携帯電話３と通信をするリーダライタ９が設置されている。リーダライタ９には、プリンタ１０が接続されている。また、ポイントカード、ポイント機能付きクレジットカードの申込書８が用意されている。
【００１６】
携帯電話３は、ＩＣチップ５を搭載しており、ポイントカード、ポイント機能付きクレジットカードの他、各種会員証、鉄道やバス・旅客機の乗車券・航空券等の機能を持つことができる。
携帯電話３は、基地局（図示しない）を介してネットワーク１７に接続し、ホストサーバ１１と通信する。
【００１７】
ＩＣチップ５は、ＦｅｌｉＣａ（登録商標）ＩＣチップ、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カード等のＩＣチップで、内部に携帯電話３のユーザの電話番号、契約している携帯電話事業者等の情報を記録している。
ＩＣチップ５を搭載した携帯電話３を、店舗６に設置されたリーダライタ９にかざすことにより、データのやり取りを行う。
【００１８】
ホストサーバ１１は、ユーザ情報、携帯電話３のメールアドレス、ポイントカードのポイント情報、ポイント機能付きクレジットカードに関する情報等を保持するユーザデータベースと、携帯電話３で利用するＩＣアプリのためのコンテンツを格納したコンテンツデータベース１５を有する。
【００１９】
ポイントカード、ポイント機能付きクレジットカードに入会しようとするユーザは、店舗６に掲示されているポスター等に印刷されている２次元バーコードを読み取り、メール画面を表示し、空メールをホストサーバ１１に送信する。
ホストサーバ１１は、携帯電話３からのメールを受信すると、初期発行を行うＵＲＬ（Ｕｎｉｆｏｒｍ  Ｒｅｓｏｕｒｃｅ  Ｌｏｃａｔｏｒ）をメールで携帯電話３に送る。
ユーザは、受信したメール内の初期発行用ＵＲＬにアクセスすると、ホストサーバ１１は携帯電話３のメールアドレスに対応付けた擬似会員番号を発行し、携帯電話３はＩＣアプリと擬似会員番号をダウンロードする。
【００２０】
次にユーザは、店舗６に設置された申込書８に住所、氏名、電話番号等のユーザ情報を記入する。
ユーザが携帯電話３を店舗６のリーダライタ９にかざすと、リーダライタ９は携帯電話３にダウンロードされた擬似会員番号を読み出し、プリンタ１０から擬似会員番号を印刷出力する。
店舗６では、申込書８に記入されたユーザ情報と、印刷出力された擬似会員番号を端末７から入力することにより、ホストサーバ１１に送る。あるいは、申込書８と印刷出力した擬似会員番号をファクシミリ、郵送等によりホストサーバ１１側に送り、ホストサーバ１１側で端末を用いてホストサーバ１１にユーザ情報と擬似会員番号を入力するようにしてもよい。
ホストサーバ１１は、ユーザデータベース１３にユーザ情報と擬似会員番号を格納する。
【００２１】
ホストサーバ１１は、格納されているユーザ情報、擬似識別番号と、初期発行時に発行した擬似会員番号、メールアドレスのマッチング処理を実行し、ユーザの登録処理を行う。
ユーザ登録処理終了後、ホストサーバ１１は登録完了を通知するメールを携帯電話３に送る。
ポイント機能付きクレジットカードの入会手続きの場合、ユーザはメールによりホストサーバ１１から指定されたＵＲＬにアクセスすることにより、携帯電話３への認証情報の書き込み等のパーソナライズ処理を実行し、登録処理を完了する。
【００２２】
次に、図２、３、４、５を参照しながら、携帯電話３、ＩＣチップ５、リーダライタ９について説明する。
図２は、携帯電話３のハードウエア構成を示す図、図３は、ＩＣチップ５のハードウエア構成を示す図、図４は、リーダライタ９のハードウエア構成を示す図、図５は、リーダライタ９の記憶装置４２の詳細を示す図である。
【００２３】
図２に示すように、携帯電話３は、制御部２１、無線通信部２２、表示部２３、入力部２４、通話処理部２５、メモリ２６、ＩＣチップＩ／Ｆ２７等がバス３０を介して接続される。
【００２４】
制御部２１は、プログラムの実行を行うＣＰＵ（Ｃｅｎｔｒａｌ  Ｐｒｏｃｅｓｓｉｎｇ  Ｕｎｉｔ）と、ＯＳ（Ｏｐｅｒａｔｉｎｇ  Ｓｙｓｔｅｍ）、プログラム命令あるいはデータ等を格納するためのＲＯＭ（Ｒｅａｄ  Ｏｎｌｙ  Ｍｅｍｏｒｙ）、一時的な作業用データを格納するためのＲＡＭ（Ｒａｎｄｏｍ  Ａｃｃｅｓｓ  Ｍｅｍｏｒｙ）等のメモリから構成される。制御部２１は、携帯電話３全体を制御する。
【００２５】
無線通信部２２は、基地局（図示しない）との間で行われる無線通信を制御する。無線通信部２２は、制御部２１の制御の下、音声に関するデータやパケット通信用のデータ等の信号を生成し、基地局に送信したり、あるいは、基地局から送信される無線信号を受信し、受信した信号を復調して音声に関するデータやパケット通信用のデータを取得する。
【００２６】
表示部２３は液晶表示パネル等を有し、表示制御を行う。
入力部２４は、数字や文字、操作指示を入力するためのキーボタン等を有し、キーボタンの操作に応じた信号を制御部２１に出力する。
通話処理部２５は、マイクロフォンやスピーカ、音声処理部等を有し、制御部２１の制御により呼接続、切断処理を含む通話処理を行う。
メモリ２６は、携帯電話３にインストールされているアプリケーションプログラムや、電話番号及びメールアドレス等のアドレス帳データ等が格納されている。
【００２７】
ＩＣチップＩ／Ｆ２７は、ＩＣチップ５とモジュール端子を介して接続しており、制御部２１とＩＣチップ５間のシリアル通信を制御する。ＩＣチップＩ／Ｆ２７が、ＩＣチップ５とリーダライタ９間の非接触通信を制御するようにしてもよい。
【００２８】
図３に示すように、ＩＣチップ５は、ＣＰＵ３１、ＲＯＭ３２、ＲＡＭ３３、メモリ３４、通信部３５がバス３６を介して接続される。
【００２９】
ＣＰＵ３１は、プログラムの実行を行う。ＲＯＭ３２は、プログラム命令あるいはデータ等を格納する。ＲＡＭ３３は、プログラムの実行中、一時的にデータ等を格納する。
メモリ３４は、ＩＣチップ５の動作に必要となるデータ等を保存している。
通信部３５は、携帯電話３あるいはリーダライタ９との通信を行う。
【００３０】
図４に示すように、リーダライタ９は、バス４６により相互接続された制御部４１、記憶装置４２、入力部４３、表示部４４、通信部４５等を有する。
【００３１】
制御部４１は、プログラムの実行を行うＣＰＵと、プログラム命令あるいはデータ等を格納するためのＲＯＭ、ＲＡＭ等のメモリから構成される。制御部４１は、リーダライタ９全体の動作を制御する。
【００３２】
記憶装置４２は、制御プログラム等の固定データ、プログラム等を格納する記憶媒体である。
図５に示すように、リーダライタ９全体を制御するためのＯＳ５１、リーダライタ９の動作を制御するためのリーダライタ用アプリ５２等を有する。
【００３３】
入力部４３は、リーダライタ９へのデータを入力するための入力装置である。
表示部４４は、ＬＣＤ等の表示装置である。
通信部４５は、携帯電話３との通信を制御する。
【００３４】
次に、図６、７を参照しながら、ホストサーバ１１について説明する。
図６は、ホストサーバ１１のハードウエア構成を示す図、図７は、ユーザデータベース１３の一例を示す図である。
【００３５】
ホストサーバ１１は、バス６８により相互接続された制御部６１、記憶装置６２、メディア入出力部６３、入力部６４、印刷部６５、表示部６６、通信部６７等を有する。
【００３６】
制御部６１は、プログラムの実行を行うＣＰＵと、プログラム命令あるいはデータ等を格納するためのＲＯＭ、ＲＡＭ等のメモリから構成される。制御部６１は、ホストサーバ１１全体の動作を制御する。
【００３７】
記憶装置６２は、ホストサーバ１１の制御プログラム等の固定データ、各種データ等を格納するための記憶媒体である。
メディア入出力部６３は、ＣＤ−ＲＯＭ(Ｃｏｍｐａｃｔ  Ｄｉｓｃ  Ｒｅａｄ  Ｏｎｌｙ  Ｍｅｍｏｒｙ)あるいはＣＤ−ＲＷ（ＣＤ−ＲｅＷｒｉｔａｂｌｅ）フレキシブルディスク、ＭＯ(Ｍａｇｎｅｔｏ  Ｏｐｔｉｃ  Ｄｉｓｃ)等の媒体のドライブで、媒体からのデータの読み出しや、媒体へのデータの書き込みを行う。
【００３８】
入力部６４は、キーボード、マウス等の入力装置である。
印刷部６５はプリンタで、ユーザからの要求により必要な情報等の印刷を行う。
表示部６６は、ＣＲＴあるいはＬＣＤ等の表示装置である。
【００３９】
通信部６７は、通信制御装置、通信ポート等であり、ネットワーク１７を介し通信を制御する。
【００４０】
図７に示すように、ホストサーバ１１が有するユーザデータベースは、ポイントカード、ポイント付きクレジットカード等のユーザ情報７０と、登録情報８０を保持する。
【００４１】
ユーザ情報７０は、ポイントカード、ポイント付きクレジットカードに入会したユーザに関する情報で、ユーザ毎に会員番号７１、擬似会員番号７２、住所７３、氏名７４、電話番号７５、メールアドレス７６、ポイント情報７７等を有する。
会員番号７１は、ポイントカード、ポイント付きクレジットカードの正規の会員番号である。会員番号７１は、既存のポイントカード、ポイント付きクレジットカードの会員番号でもよいし、新規に発行されるポイントカード、ポイント付きクレジットカードの会員番号でもよい。
擬似会員番号７２は、リーダライタ９が携帯電話３から読み取った擬似会員番号をプリンタ１０から印刷出力したものである。
住所７３は、ユーザの住所、氏名７４は、ユーザの氏名、電話番号７５は、ユーザの電話番号、メールアドレス７６は、ユーザが所有している携帯電話３のメールアドレスである。
ポイント情報７７は、ポイントカード、ポイント付きクレジットカードの獲得ポイント等の情報である。
【００４２】
登録情報８０は、ユーザが初期発行用URLにアクセスした際、ホストサーバ１１が生成するもので、擬似会員番号７２、メールアドレス７６を有する。
擬似会員番号７２は、ホストサーバ１１が発行した擬似会員番号で、ユーザ情報７０の擬似会員番号７２と同じである。
メールアドレス７６は、携帯電話３からのメール送信により得た携帯電話３のメールアドレスで、ユーザ情報７０のメールアドレス７６と同じである。
【００４３】
次に、図８を参照しながら、入会システム１の実施形態の動作について説明する。
図８は、入会システム１による処理の流れを示すフローチャートである。
【００４４】
ユーザは、店舗６に来店し、店舗６に掲示してあるポスター等に印刷されている２次元コードを携帯電話３の制御部２１は読み取り、宛先をホストサーバ１１のメールアドレスとしたメール画面を表示する（ステップ１０１）。ユーザは、タイトル、本文などを入力せず、空メールを送信する操作をすると、携帯電話３の制御部２１はネットワーク１７を介してホストサーバ１１に送る（ステップ１０２）。
【００４５】
ホストサーバ１１の制御部６１は、携帯電話３からのメールを受信し、初期発行用ＵＲＬを本文に記載したメールを携帯電話３に送る（ステップ１０３）。携帯電話３の制御部２１は、ホストサーバ１１からのメールを受信し、ユーザが受信メールの本文に記載された初期発行用URLを選択すると、携帯電話３の制御部２１は、ネットワーク１７を介して初期発行用URLにアクセスし、ＩＣアプリのダウンロードをホストサーバ１１に要求する（ステップ１０４）。
【００４６】
ホストサーバ１１の制御部６１は、擬似会員番号を発行し、ユーザデータベース１３の登録情報８０に擬似会員番号７２、メールアドレス７６を登録し、ＩＣアプリダウンロード用のＵＲＬと共に、擬似会員番号７２をメールで携帯電話３に送る（ステップ１０５）。
【００４７】
携帯電話３の制御部２１は、擬似会員番号７２を受信し、メモリ２６に保存する。ユーザの選択により、携帯電話３の制御部２１は、メールで指定されたＩＣアプリダウンロード用ＵＲＬにアクセスし、ＩＣアプリをダウンロードする（ステップ１０６）。
ユーザは、設置されている申込書８に住所、氏名、電話番号等のユーザ情報を記入する。そして、ユーザが携帯電話３をリーダライタ９にかざすと、リーダライタ９の制御部４１は携帯電話３と通信し、携帯電話３のメモリ２６に保存されている擬似会員番号７２を読み取り、プリンタ１０から印刷出力する（ステップ１０７）。
【００４８】
店舗６の店員は、端末７から申込書８に記入された住所、氏名、電話番号等のユーザ情報と、印刷出力された擬似会員番号７２を入力し、ネットワーク１７を介してホストサーバ１１に送る。あるいは、ファクシミリ、郵送等により記入された申込書８と印刷出力した擬似会員番号７２をホストサーバ１１側に送り、ホストサーバ１１側で端末を用いて、申込書８に記入されたユーザ情報と、擬似会員番号７２をホストサーバ１１に入力する。
ホストサーバ１１の制御部６１は、入力された擬似会員番号７２と一致する登録情報８０の擬似会員番号７２を検索し、一致した登録情報８０のメールアドレス７６と、入力されたユーザ情報、擬似会員番号７２をユーザデータベース１３のユーザ情報７０の擬似会員番号７２、住所７３、氏名７４、電話番号７５、メールアドレス７６として登録する。
また、登録情報８０のメールアドレス７６と同じメールアドレス７６を持つ既存のユーザ情報７０がある場合、ユーザ情報７０の擬似会員番号７２に登録情報８０の擬似会員番号７２を登録することにより、既存のポイントカード、ポイント付きクレジットカードと携帯電話３を関連付けることができる（ステップ１０８）。
【００４９】
ホストサーバ１１の制御部６１は、ネットワーク１７を介して、携帯電話３に登録が完了したことを通知するメールを送信し（ステップ１０９）、携帯電話３の制御部２１は登録完了メールを受信する（ステップ１１０）。
【００５０】
ポイントカードの入会手続きの場合、ユーザは、登録完了メール受信後、携帯電話３をポイントカードとして店舗６で使用することが可能となる。
ポイント付きクレジットカードの入会手続きの場合、更に、携帯電話３がホストサーバ１１からのメールで指定されたＵＲＬにアクセスして、認証情報の書き込み等のパーソナライズ処理を実行後、使用可能となる。
【００５１】
このように本実施によれば、申込書のような紙媒体と２次元バーコードを用いることにより、携帯電話から文字を入力することなく、携帯電話からの操作を簡素化した入会システム等を提供することができる。クレジットカードなど審査を必要とする場合を除き、ポイントカード、会員証としての機能は申し込み当日から使用することができる。
【００５２】
更に、新規入会に限らず、既存のポイントカード、クレジットカード等を有している場合も、既存のユーザ情報と携帯電話から送信されるメール情報を対応付けることにより、携帯電話のポイント機能、クレジット機能と関連付けることが可能である。
【００５３】
以上、添付図面を参照しながら本発明に係る入会システムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００５４】
【図１】入会システム１の概要を示す図
【図２】携帯電話３のハードウエア構成を示す図
【図３】ＩＣチップ５のハードウエア構成を示す図
【図４】リーダライタ９のハードウエア構成を示す図
【図５】リーダライタ９の記憶装置４２の詳細を示す図
【図６】ホストサーバ１１のハードウエア構成を示す図
【図７】ユーザデータベース１３の一例を示す図
【図８】入会システム１による処理の流れを示すフローチャート
【符号の説明】
【００５５】
１………入会システム
３………携帯電話
５………ＩＣチップ
６………店舗
７………端末
８………申込書
９………リーダライタ
１０………プリンタ
１１………ホストサーバ
１３………ユーザデータベース
１５………コンテンツデータベース
１７………ネットワーク
【図１】
2008140098.tif 000003
【図２】
2008140098.tif 000004
【図３】
2008140098.tif 000005
【図４】
2008140098.tif 000006
【図５】
2008140098.tif 000007
【図６】
2008140098.tif 000008
【図７】
2008140098.tif 000009
【図８】
2008140098.tif 000010